(57)【要約】【課題】給電線の敷設時間短縮、敷設コスト削減を行う。【解決手段】小規模ユーザ宅１０５へのメタリック引き込み線１０８に接続される光終端装置１０４の電力供給システムに、小規模ユーザ宅の宅内装置内で直流電圧を電力として生成する電力生成部１０７、２０４、２０５と、宅内装置内で生成される送信信号に電力生成部からの直流電圧を電力として重畳して、メタリック引き込み線を介して、光終端装置に出力するための電力重畳部２０６と、光終端装置で電力重畳部から送信信号に重畳した直流電圧を入力し、送信信号と直流電圧とを分離し、分離した送信信号を光信号に処理させるための電力分離部２１１と、光終端装置の各構成部に電力分離部で分離された直流電圧を電力として供給する電力供給部２１２とを備える。【選択図】　図５
2004088220.tif 000002
【特許請求の範囲】
【請求項１】
小規模ユーザ宅へのメタリック引き込み線に接続される光終端装置の電力供給システムにおいて、
小規模ユーザ宅の宅内装置内で直流電圧を電力として生成する電力生成部と、
前記宅内装置内で生成される送信信号に前記電力生成部からの直流電圧を電力として重畳して、前記メタリック引き込み線を介して、前記光終端装置に出力するための電力重畳部と、
前記光終端装置で前記電力重畳部から前記送信信号に重畳した前記直流電圧を入力し、前記送信信号と前記直流電圧とを分離し、分離した前記送信信号を光信号に処理させるための電力分離部と、
前記光終端装置の各構成部に前記電力分離部で分離された前記直流電圧を電力として供給する電力供給部とを備えることを特徴とする、小規模ユーザ宅へのメタリック引き込み線に接続される光終端装置の電力供給システム。
【請求項２】
前記電力分離部、前記電力供給部を有する前記光終端装置が架空設備又はキャビネットに収納されることを特徴とする、請求項１に記載の小規模ユーザ宅へのメタリック引き込み線に接続される光終端装置の電力供給システム。
【請求項３】
前記電力生成部は小規模ユーザ宅のＡＣ電源から得た交流電圧を直流電圧に変換し、変換された直流電圧を変圧し、生成された電力とすることを特徴とする、請求項１に記載の小規模ユーザ宅へのメタリック引き込み線に接続される光終端装置の電力供給システム。
【請求項４】
前記電力生成部は前記宅内装置内の各構成部に変圧された直流電圧を電力として供給することを特徴とする、請求項３に記載の小規模ユーザ宅へのメタリック引き込み線に接続される光終端装置の電力供給システム。
【請求項５】
前記電力供給部は前記光終端装置の各構成部に変圧された直流電圧を電力として供給することを特徴とする、請求項１に記載の小規模ユーザ宅へのメタリック引き込み線に接続される光終端装置の電力供給システム。
【請求項６】
前記電力重畳部は、前記送信信号を生成する側への直流電圧の伝送を遮断し、前記電力分離部は、前記送信信号を前記光信号に処理する側への直流電圧の伝送を遮断することを特徴とする、請求項１に記載の小規模ユーザ宅へのメタリック引き込み線に接続される光終端装置の電力供給システム。
【請求項７】
前記電力重畳部は、前記電力生成部の側への送信信号、受信信号の伝送を遮断することを特徴とする、請求項１に記載の小規模ユーザ宅へのメタリック引き込み線に接続される光終端装置の電力供給システム。
【請求項８】
前記電力重畳部は、前記電力生成部からのリップル成分の伝送を遮断することを特徴とする、請求項１に記載の小規模ユーザ宅へのメタリック引き込み線に接続される光終端装置の電力供給システム。
【請求項９】
前記電力分離部は、前記電力供給部の側への送信信号、受信信号の伝送を遮断することを特徴とする、請求項１に記載の小規模ユーザ宅へのメタリック引き込み線に接続される光終端装置の電力供給システム。
【請求項１０】
小規模ユーザ宅へのメタリック引き込み線に接続される光終端装置の電力供給方法において、
小規模ユーザ宅の宅内装置内で直流電圧を電力として生成する工程と、
前記宅内装置内で生成される送信信号に前記直流電圧を電力として重畳し、前記メタリック引き込み線を介して、前記光終端装置に出力する工程と、
前記光終端装置で前記送信信号に重畳した前記直流電圧を入力し、前記送信信号と前記直流電圧とを分離する工程と、
分離した前記送信信号を光信号に処理させる工程と、
分離された前記直流電圧を変圧する工程と、
前記光終端装置の各構成部に変圧された前記直流電圧を電力として供給する工程とを備えることを特徴とする、小規模ユーザ宅へのメタリック引き込み線に接続される光終端装置の電力供給方法。
【発明の詳細な説明】
【０００１】
【発明が属する技術分野】
本発明は小規模ユーザ宅へのメタリック引き込み線に接続される光終端装置への電力供給システムに関する。特に、本発明は、光終端装置への給電線の敷設時間、敷設コスト削減、電力給電の簡素化に関する。
【０００２】
【従来の技術】
従来の電力供給システムでは、遠隔局に給電装置を設け、各加入者側光終端装置はその給電装置から給電線を介して電力を取り込むことが周知である（例えば、特許文献１参照。）。
【０００３】
【特許文献１】
特開平０９−１０２７６１号公報（段落番号０００５、第５図）
【０００４】
近年、光通信システムでは、ビジネスビル、大規模な企業のユーザを除き家屋、住宅、店、事務所の通信設備を提供される施設を含む小規模ユーザ宅まで光ファイバーを敷設するＦＴＴＨ（Ｆｉｂｅｒ　Ｔｏ　Ｔｈｅ　Ｈｏｍｅ）に対して、コスト、メンテナンス、敷設時間等の問題からＦＴＴＣ（Ｆｉｂｅｒ　Ｔｏ　Ｔｈｅ　Ｃｕｒｂ）、ＦＴＴＣａｂ（Ｆｉｂｅｒ　Ｔｏ　Ｔｈｅ　Ｃａｂｉｎｅｔ）、ＰＤＳ（Ｐａｓｓｉｖｅ　Ｄｏｕｂｌｅ　Ｓｔａｒ）等が検討されている。
【０００５】
ＦＴＴＣ、ＦＴＴＣａｂにはセンター側局であるＣＯ（Ｃｅｎｔｒａｌ　Ｏｆｆｉｃｅ）が設けられる。ＣＯは光回線を終端する光終端装置である。この場合、ＣＯから小規模ユーザ宅の宅内装置であるＣＰＥ（Ｃｕｓｔｏｍｅｒ　Ｐｒｅｍｉｓｅｓ　Ｅｑｕｉｐｍｅｎｔ）へのメタリック伝送の部分が不可避となる。ＣＯは架空設備及びキャビネットに収納される。架空設備及びキャビネットは、特許文献１に示すように、外部の給電装置から電力を取り込む。さらに、架空設備及びキャビネットにはバッテリ等の保守部品が実装される。
【０００６】
【発明が解決しようとする課題】
しかしながら、上記架空設備及びキャビネットへの電力供給には給電線の敷設時間、コストがかかるという問題がある。
さらに、バッテリ等の保守部品が実装されるので、架空設備及びキャビネットへの電力供給の構成が複雑になり、メンテナンスが複雑となり、コストがかかるという問題がある。
【０００７】
したがって、本発明は上記問題点に鑑みて、架空設備及びキャビネットへの給電線の敷設時間削減、敷設コスト削減、架空設備及びキャビネットの構成の簡素化、メンテナンスの簡素化、コストの削減を可能にする、小規模ユーザ宅へのメタリック引き込み線に接続される光終端装置の電力供給システム及び方法を提供することを目的とする。
【０００８】
【課題を解決するための手段】
本発明は前記問題点を解決するために、小規模ユーザ宅へのメタリック引き込み線に接続される光終端装置の電力供給システムにおいて、小規模ユーザ宅の宅内装置内で直流電圧を電力として生成する電力生成部と、前記宅内装置内で生成される送信信号に前記電力生成部からの直流電圧を電力として重畳して、前記メタリック引き込み線を介して、前記光終端装置に出力するための電力重畳部と、前記光終端装置で前記電力重畳部から前記送信信号に重畳した前記直流電圧を入力し、前記送信信号と前記直流電圧とを分離し、分離した前記送信信号を光信号に処理させるための電力分離部と、前記光終端装置の各構成部に前記電力分離部で分離された前記直流電圧を電力として供給する電力供給部とを備えることを特徴とする小規模ユーザ宅へのメタリック引き込み線に接続される光終端装置の電力供給システムを提供する。
【０００９】
この手段により、メタリック引き込み線を利用するので、光終端装置への電力供給には給電線の敷設が不要となり、従来の敷設時間、敷設コストを削減することが可能になる。
さらに、前記電力分離部、前記電力供給部を有する前記光終端装置が架空設備又はキャビネットに収納される。
この手段により、架空設備及びキャビネットにバッテリ等の保守部品の実装が不要となり、架空設備及びキャビネットの構成が簡素化され、メンテナンスも簡素化でき、コストの低減が可能になる。
【００１０】
さらに、前記電力生成部は小規模ユーザ宅のＡＣ電源から得た交流電圧を直流電圧に変換し、変換された直流電圧を変圧し、生成された電力とする。
この手段により、安定したＡＣ電源の利用確保が可能になる。
さらに、前記電力生成部は前記宅内装置内の各構成部に変圧された直流電圧を電力として供給する。
【００１１】
この手段により、従来の電力供給に代わり本発明の宅内装置の電力供給を用いるので、宅内装置の構成が複雑化するのを抑制することが可能になる。
さらに、前記電力供給部は前記光終端装置の各構成部に変圧された直流電圧を電力として供給する。
この手段により、光終端装置の電源仕様に調整することが可能になる。
【００１２】
さらに、前記電力重畳部は、前記送信信号を生成する側への直流電圧の伝送を遮断し、前記電力分離部は、前記送信信号を前記光信号に処理する側への直流電圧の伝送を遮断する。
この手段により、前記送信信号を生成する側へ、前記送信信号を前記光信号に処理する側への影響を回避することが可能になる。
【００１３】
さらに、前記電力重畳部は、前記電力生成部の側への送信信号、受信信号の伝送を遮断する。
この手段により、前記電力生成部への影響を回避することが可能になる。
さらに、前記電力重畳部は、前記電力生成部からのリップル成分の伝送を遮断する。
【００１４】
この手段により、リップル成分が送信信号、受信信号の雑音成分になるのを回避することが可能になる。
さらに、前記電力分離部は、前記電力供給部の側への送信信号、受信信号の伝送を遮断する。
この手段により、前記電力供給部への影響を回避することが可能になる。
【００１５】
さらに、本発明は、小規模ユーザ宅へのメタリック引き込み線に接続される光終端装置の電力供給方法において、小規模ユーザ宅の宅内装置内で直流電圧を電力として生成する工程と、前記宅内装置内で生成される送信信号に前記直流電圧を電力として重畳し、前記メタリック引き込み線を介して、前記光終端装置に出力する工程と、前記光終端装置で前記送信信号に重畳した前記直流電圧を入力し、前記送信信号と前記直流電圧とを分離する工程と、分離した前記送信信号を光信号に処理させる工程と、分離された前記直流電圧を変圧する工程と、前記光終端装置の各構成部に変圧された前記直流電圧を電力として供給する工程とを備えることを特徴とする小規模ユーザ宅へのメタリック引き込み線に接続される光終端装置の電力供給方法を提供する。
【００１６】
この手段により、光終端装置への電力供給には給電線の敷設が不要となり、従来の敷設時間、敷設コストを削減することが可能になる。
【００１７】
【発明の実施の形態】
以下、本発明の実施の形態について図面を参照して説明する。
図１は本発明に係る、小規模ユーザ宅へのメタリック引き込み線に接続される光終端装置の一例を説明する図である。
本図に示すように、ＦＴＴＣでは、光ファイバーで形成される光回線１０１が電柱１０２に沿って敷設される。さらに、ビジネスビル、大規模な企業のユーザを除き家屋、住宅、店、事務所の通信設備を提供される施設を含む小規模ユーザ宅１０５の近くに位置する電柱１０２の上にＣＯ１０４を収納する架空設備１０３が設けられる。ＣＯ１０４は光回線１０１を終端する光終端装置である。小規模ユーザ宅１０５とこの近くに位置する電柱１０２の架空設備１０３との間の距離は、例えば、約１００ｍである。
【００１８】
小規模ユーザ宅１０５の宅内にはＣＰＥ１０６が設けられ、ＣＰＥ１０６はＡＣ電源プラグ１０７を有する。これにより安定したＡＣ電源の利用確保が可能になる。
ＣＯ１０４とＣＰＥ１０６の間には２線電話線で形成されるメタリック引き込み線１０８が敷設され、メタリック引き込み線１０８を介して、ＣＯ１０４からＣＰＥ１０６へ変換されたＤＳＬ（Ｄｉｇｉｔａｌ　Ｓｕｂｓｃｒｉｂｅｒ　Ｌｉｎｅ）信号が提供され、ＣＰＥ１０６からＣＯ１０４へ信号が重畳された電力が提供される。
【００１９】
図２は本発明に係る、小規模ユーザ宅へのメタリック引き込み線に接続される光終端装置の別の例を説明する図である。
本図に示すように、ＦＴＴＣａｂでは、光ファイバーで形成される光回線１０１には複数のＣＯ１０４Ａ、１０４Ｂを収納するキャビネット１０９が接続され、キャビネット１０９は小規模ユーザ宅１０５Ａの近くに設けられる。前述と同様に、複数のＣＯ１０４Ａ、１０４Ｂは光回線１０１を終端する光終端装置である。小規模ユーザ宅１０５Ａ、１０５Ｂとこの近くに位置するキャビネット１０９との間の距離は、例えば、約１００ｍである。
【００２０】
ＣＯ１０４Ａと小規模ユーザ宅１０５ＡのＣＰＥ１０６Ａとの間には２線電話線で形成されるメタリック引き込み線１０８Ａが敷設される。
なお、小規模ユーザ宅１０５Ａと離れて位置する小規模ユーザ宅１０５Ｂに対しては、電柱１０２を介して、２線電話線で形成されるメタリック引き込み線１０８Ｂが敷設される。
【００２１】
キャビネット１０９には小規模ユーザ宅１０５にアクセスする数だけのＣＯ１０４が設けられる。
前述と同様に、メタリック引き込み線１０８Ａを介して、ＣＯ１０４ＡからＣＰＥ１０６Ａへ変換されたＤＳＬ信号が提供され、ＣＰＥ１０６ＡからＣＯ１０４Ａへ信号が重畳された電力が提供される。
【００２２】
さらに、メタリック引き込み線１０８Ｂを介して、ＣＯ１０４ＢからＣＰＥ１０６Ｂへ変換されたＤＳＬ信号が提供され、ＣＰＥ１０６ＢからＣＯ１０４Ｂへ信号が重畳された電力が提供される。
なお、ＣＰＥ１０６Ａ、１０６Ｂの各々はＡＣ電源プラグ１０７Ａ、１０７Ｂを有する。これにより安定したＡＣ電源の利用確保が可能になる。
【００２３】
図３は図１及び図２におけるＣＰＥ１０６（１０６Ａ、１０６Ｂ）の概略構成を示すブロック図である。
本図に示すように、ＣＰＥ１０６（１０６Ａ、１０６Ｂ）々には端末インタフェース（ＩＮＦ）部２０１が設けられ、端末インタフェース（ＩＮＦ）部２０１は小規模ユーザ宅の宅内に所有されるマイクロコンピュータ、モデム等の端末のインタフェースである。
【００２４】
端末インタフェース（ＩＮＦ）部２０１には変復調部２０２が接続され、変復調部２０２は、端末インタフェース（ＩＮＦ）部２０１からの送信信号の変調を行い、端末インタフェース（ＩＮＦ）部２０１への受信信号の復調を行う。
変復調部２０２にはトランシーバ部２０３が接続され、トランシーバ部２０３はメタリック引き込み線１０８（１０８Ａ、１０８Ｂ）からの受信、メタリック引き込み線１０８（１０８Ａ、１０８Ｂ）への送信を切り替える。
【００２５】
ＡＣ電源プラグ１０７（１０７Ａ、１０７Ｂ）にはＡＣ（交流）／ＤＣ（直流）コンバータ２０４が接続され、ＡＣ／ＤＣコンバータ２０４はＡＣ電源プラグ１０７（１０７Ａ、１０７Ｂ）から得られる、例えば、交流電圧１００Ｖを直流電圧に変換する。
ＡＣ／ＤＣコンバータ２０４にはＤＣ（直流）／ＤＣ（直流）コンバータ２０５が接続され、ＤＣ／ＤＣコンバータ２０５は、ＡＣ／ＤＣコンバータ２０４からの直流電圧の変圧を行う。
【００２６】
この変圧により直流電圧を調整して、ＣＰＥ１０６（１０６Ａ、１０６Ｂ）の各構成部、端末インタフェース（ＩＮＦ）部２０１、変復調部２０２、トランシーバ部２０３、ＡＣ／ＤＣコンバータ２０４等に電力供給が行われる。
これにより、従来の電力供給に代わり本発明の宅内装置の電力供給を利用することになるので、宅内装置の構成が複雑化するのを抑制することが可能になる。
【００２７】
さらに、ＤＣ／ＤＣコンバータ２０５からの直流電圧は、後述するようにＣＯ１０４（１０４Ａ、１０４Ｂ）の各構成部に電力供給を行うために使用される。ＣＰＥ１０６（１０６Ａ、１０６Ｂ）には電力重畳部２０６が設けられ、電力重畳部２０６は、トランシーバ部２０３の送信信号にＤＣ／ＤＣコンバータ２０５からの直流電圧を重畳して、メタリック引き込み線１０８（１０８Ａ、１０８Ｂ）を介して、ＣＯ１０４（１０４Ａ、１０４Ｂ）に出力する。
【００２８】
また、電力重畳部２０６は、メタリック引き込み線１０８（１０８Ａ、１０８Ｂ）からの受信信号をトランシーバ部２０３に出力する。
図４は図３の電力重畳部２０６の概略構成を示す回路図である。本図に示すように、電力重畳部２０６は、トランシーバ部２０３の送信信号にＤＣ／ＤＣコンバータ２０５からの直流電圧を重畳するためにインピーダンス分離を行う。
【００２９】
すなわち、電力重畳部２０６ではメタリック引き込み線１０８（１０８Ａ、１０８Ｂ）の２線電話線の一方側にコンデンサ２０６Ａが直列に接続される。
ＤＣ／ＤＣコンバータ２０５の出力側にコンデンサ２０６Ｆが並列に接続され、コンデンサ２０６Ｆの一方端に、並列接続した抵抗２０６Ｂとコイル２０６Ｃの一方端が直列に接続され、さらに、コンデンサ２０６Ｆの他方端に、並列接続した抵抗２０６Ｄとコイル２０６の一方端が直列に接続される。
並列接続した抵抗２０６Ｂとコイル２０６Ｃの他方端がトランシーバ部２０３と反対側のコンデンサ２０６Ａの端に接続される。
【００３０】
並列接続した抵抗２０６Ｄとコイル２０６Ｆの他方端がが２線電話線の他方側に接続される。
このようにして、並列接続した抵抗２０６Ｂとコイル２０６Ｃ、並列接続した抵抗２０６Ｄとコイル２０６Ｅ、コンデンサ２０６Ｆにより、ＤＣ／ＤＣコンバータ２０５からの直流電圧がコンデンサ２０６Ａからの送信信号に重畳され、さらに、ＤＣ／ＤＣコンバータ２０５からメタリック引き込み線１０８（１０８Ａ、１０８Ｂ）、トランシーバ部２０３へのリップル成分が遮断される。リップル成分が送信信号、受信信号の雑音成分になるのを回避するためである。
さらに、コンデンサ２０６Ａにより、ＤＣ／ＤＣコンバータ２０５からトランシーバ部２０３への直流電圧の伝送が遮断される。トランシーバ部２０３への影響を回避するためである。
【００３１】
さらに、並列接続した抵抗２０６Ｂとコイル２０６Ｃ、並列接続した抵抗２０６Ｄとコイル２０６Ｅ、コンデンサ２０６Ｆにより、ＤＣ／ＤＣコンバータ２０５に対して、トランシーバ部２０３からの送信信号、メタリック引き込み線１０８（１０８Ａ、１０８Ｂ）からの受信信号が遮断される。ＤＣ／ＤＣコンバータ２０５への影響を回避するためである。
図５は図１及び図２におけるＣＯ１０４（１０４Ａ、１０４Ｂ）の概略構成を示すブロック図である。
【００３２】
本図に示すように、ＣＯ１０４（１０４Ａ、１０４Ｂ）には光回線１０１に接続されるＯ−Ｅ（光−電気変換部）／Ｅ−Ｏ（電気−光変換部）２０７が設けられ、Ｏ−Ｅ／Ｅ−Ｏ２０７は光回線１０１からの受信光信号を電気信号に変換し、光回線１０１への送信電気信号を光信号に変換する。
Ｏ−Ｅ／Ｅ−Ｏ２０７にはメディア（Ｍｅｄｉａ）変換部２０８、２０９が接続され、メディア変換部２０８、２０９は光回線１０１の伝送媒体からメタリック引き込み線１０８（１０８Ａ、１０８Ｂ）の伝送媒体に信号を変換し、逆に、メタリック引き込み線１０８（１０８Ａ、１０８Ｂ）の伝送媒体から光回線１０１の伝送媒体に信号を変換する。
【００３３】
すなわち、メディア変換部２０８、２０９では、メタリック引き込み線１０８（１０８Ａ、１０８Ｂ）のメタリック伝送媒体に対して、ＤＳＬ等の高速技術を用いる。これにより、メタリック引き込み線１０８（１０８Ａ、１０８Ｂ）が短距離であるため、既存の２線電話線を用い、ＦＴＴＨと同等の伝送速度を提供することが可能になる。
【００３４】
メディア変換部２０９にはトランシーバ部２１０が接続され、トランシーバ部２１０は送信、受信の切り替えを行う。
トランシーバ部２０４には電力分離部２１１が接続され、電力分離部２１１は、メタリック引き込み線１０８（１０８Ａ、１０８Ｂ）を介して、送信信号に重畳した直流電圧を入力し、これを送信信号と直流電圧に分離し、分離した送信信号をトランシーバ部２１０に出力する。
【００３５】
電力分離部２１１にはＤＣ／ＤＣコンバータ２１２が接続され、ＤＣ／ＤＣコンバータ２１２は電力分離部２１１で分離された直流電圧を変圧する。
この変圧により直流電圧が調整され、ＣＯ１０４（１０４Ａ、１０４Ｂ）の各構成部、Ｏ−Ｅ／Ｅ−Ｏ２０７、メディア変換部２０８、２０９、トランシーバ部２１０等に電力供給が行われる。
【００３６】
これにより、ＣＯ１０４（１０４Ａ、１０４Ｂ）の電源仕様に調整することが可能になる。
また、電力分離部２１１はトランシーバ部２１０の受信信号を、メタリック引き込み線１０８（１０８Ａ、１０８Ｂ）を介して、ＣＰＥ１０６（１０６Ａ、１０６Ｂ）に出力する。
【００３７】
図６は図５の電力分離部２１１の概略構成を示す回路図である。本図に示すように、電力分離部２１１は、送信信号に重畳した直流電圧を分離するためにインピーダンス分離を行う。
すなわち、電力分離部２１１ではメタリック引き込み線１０８（１０８Ａ、１０８Ｂ）の２線電話線の一方側にコンデンサ２１１Ａが直列に接続される。
【００３８】
ＤＣ／ＤＣコンバータ２１２の入力側にコンデンサ２１１Ｆが並列に接続され、コンデンサ２１１Ｆの一方端に並列接続した抵抗２１１Ｂとコイル２１１Ｃの一方端が直列に接続され、さらに、コンデンサ２１１Ｆの他方端に並列接続した抵抗２１１Ｄとコイル２１１Ｅの一方端が直列に接続される。
並列接続した抵抗２１１Ｂとコイル２１１Ｃの他方端がトランシーバ部２１０と反対側のコンデンサ２１１Ａの端に接続される。
並列接続した抵抗２１１Ｄとコイル２１１Ｅの他方端が２線電話線の他方側に接続される。
【００３９】
このようにして、コンデンサ２１１Ａにより、ＤＣ／ＤＣコンバータ２１２からトランシーバ部２１０への直流電圧の伝送が遮断される。トランシーバ部２１０への影響を回避するためである。
さらに、並列接続した抵抗２１１Ｂとコイル２１１Ｃ、並列接続した抵抗２１１Ｄとコイル２１１Ｅ、コンデンサ２１１Ｆにより、ＤＣ／ＤＣコンバータ２１２に対して、トランシーバ部２１０からの受信信号、メタリック引き込み線１０８（１０８Ａ、１０８Ｂ）からの送信信号が遮断される。ＤＣ／ＤＣコンバータ２１２への影響を回避するためである。
【００４０】
【発明の効果】
以上説明したように、本発明によれば、小規模ユーザ宅の宅内装置内で直流電圧を電力として生成し、宅内装置内で生成される送信信号に直流電圧を電力として重畳し、メタリック引き込み線を介して、光終端装置に出力し、光終端装置で送信信号に重畳した直流電圧を入力し、送信信号と直流電圧とを分離し、分離した送信信号を光信号に処理させ、分離された直流電圧を変圧し、光終端装置の各構成部に変圧された直流電圧を電力として供給するようにしたので、メタリック引き込み線を給電線として利用可能になり、光終端装置への電力供給には給電線の敷設が不要となり、従来の敷設時間、コストを大幅に削減することが可能になる。
【００４１】
さらに、電力分離部、電力供給部を有する光終端装置が架空設備又はキャビネットに収納されるようにしたので、架空設備及びキャビネットにバッテリ等の保守部品の実装が不要となり、架空設備及びキャビネットの電力供給の構成が簡素化され、メンテナンスも簡素化でき、コストの低減が可能になる。
【図面の簡単な説明】
【図１】本発明に係る、小規模ユーザ宅へのメタリック引き込み線に接続される光終端装置の一例を説明する図である。
【図２】本発明に係る、小規模ユーザ宅へのメタリック引き込み線に接続される光終端装置の別の例を説明する図である。
【図３】図１及び図２におけるＣＰＥ１０６（１０６Ａ、１０６Ｂ）の概略構成を示すブロック図である。
【図４】図３の電力重畳部２０６の概略構成を示す回路図である。
【図５】図１及び図２におけるＣＯ１０４（１０４Ａ、１０４Ｂ）の概略構成を示すブロック図である。
【図６】図５の電力分離部２１１の概略構成を示す回路図である。
【符号の説明】
１０１…光回線
１０２…電柱
１０３…架空設備
１０４、１０４Ａ、１０４Ｂ…ＣＯ
１０５、１０５Ａ、１０５Ｂ…小規模ユーザ宅
１０６、１０６Ａ、１０６Ｂ…ＣＰＥ
１０７、１０７Ａ、１０７Ｂ…ＡＣ電源プラグ
１０８、１０８Ａ、１０８Ｂ…メタリック引き込み線
１０９…キャビネット
２０１…端末インタフェース（ＩＮＦ）部
２０２…変復調部
２０３、２１０…トランシーバ部
２０４…ＡＣ／ＤＣコンバータ
２０５、２１２…ＤＣ／ＤＣコンバータ
２０６…電力重畳部
２０７…Ｏ−Ｅ／Ｅ−Ｏ
２０８、２０９…メディア変換部
２１１…電力分離部
２０６Ａ、２０６Ｆ、２１１Ａ、２１１Ｆ…コンデンサ
２０６Ｂ、２０６Ｄ、２１１Ｂ、２１１Ｄ…抵抗
２０６Ｃ、２０６Ｅ、２１１Ｃ、２１１Ｅ…コイル
【図１】
2004088220.tif 000003
【図２】
2004088220.tif 000004
【図３】
2004088220.tif 000005
【図４】
2004088220.tif 000006
【図５】
2004088220.tif 000007
【図６】
2004088220.tif 000008